(57)【特許請求の範囲】
【請求項１】
頭部とこれに続く頭部より細い首部とこの首部から延びる胴部とを有するブリッジピンを弦楽器のブリッジから引き抜くためのブリッジピン引抜き具であって、
可撓性を有する紐状部と前記紐状部の両端が固定される本体とを有し、
前記紐状部は、前記本体とともに第１のループを形成し、
前記第１のループは、その内周の長さが前記頭部の最大周囲長より長くなるように構成されたブリッジピン引抜き具。
【請求項２】
前記第１のループが前記頭部を潜って前記首部に巻き掛けられて２つの部分ループが形成された際に前記首部の周囲に形成される第２のループは、その内周の長さが前記首部の最小周囲長より長くかつ前記頭部の最大周囲長より短くなるように構成された請求項１に記載のブリッジピン引抜き具。
【請求項３】
前記紐状部は、合成樹脂製である請求項１又は２に記載のブリッジピン引抜き具。
【請求項４】
ブリッジピンの頭部に前記第１のループを潜らせて、その首部に掛けるステップと、
前記本体を回転させて前記第１のループを捻じり、前記首部の周囲に第２のループを形成させるステップと、
前記第２のループの内周の長さが前記頭部の最大周囲長より短くなるまで前記本体を回転させるステップと、
前記本体を引いて前記ブリッジピンを引き抜くステップと、を含む
請求項１に記載のブリッジピン引抜き具の使用方法。
【請求項５】
前記本体を回転させるステップは、前記本体を半回転させるステップである請求項４記載のブリッジピン引抜き具の使用方法。
【発明の詳細な説明】
【技術分野】
【０００１】
本発明は、アコースティックギターなどの弦楽器の弦を固定するブリッジピンの引抜き具に関するものである。
【背景技術】
【０００２】
一般に、弦楽器は、張られた弦の振動をそのボディ（胴部）や響き板を利用して音を大きくして音色を奏でるものである。たとえば、ギター、バイオリン、チェロ、琴など種々のものがある。
【０００３】
ブリッジピンは、ブリッジ（コマ）において、張られた状態の弦を弦楽器に固定するものである。多くは、弦とともに弦楽器本体に挿入されて固定されている（特許文献１）。
しかし、弦は張力がかかる上、弾かれて振動するため消耗し演奏中に切れたりすることもある。そのような場合は、ブリッジピンを引き抜いて弦を交換する必要がある。他方、ブリッジピンは弦の張力に抗して抜けない程度の強度で弦楽器本体と嵌合状態にあるため、素手ではその頭部をつまんでも容易に抜くことはできない。
このため、従来は、プラスチック製などの専用の引抜き具が用いられることが多かった。
【０００４】
このような従来のブリッジピン引抜き具Ｔ´について図６（ａ）および（ｂ）を用いて説明する。両図は、その使用例を示す図である。
まず、ブリッジピンの嵌合状態について説明すると、ブリッジピンＰ´は、図６（ａ）に示すように、ブリッジＢ´と密着させた表板Ｇｔ´とブリッジ裏板Ｂｂ´とを貫くブリッジピンの挿入穴Ｂｈ´に、弦Ｇｓ´とともに挿入され嵌められて固定されている。ブリッジピンＰ´は、楔状のテーパ形状の胴部Ｐｃ´と、首部Ｐｂ´を介して引抜きのための球状の頭部Ｐａ´とで構成されている。弦Ｇｓ´が抜けないように弦楽器に固定するため、挿入穴Ｂｈ´にエンドボールＢｅ´の付いた弦Ｇｓ´を挿通した後に、ブリッジピンＰ´を挿入穴Ｂｈ´に嵌合させている。
このような嵌合状態にあるブリッジピンＰ´を引き抜く従来のブリッジピン引抜き具Ｔ´は、たとえば、図６（ａ）および（ｂ）に示すように、プリッジピンの首部Ｐｂ´の径よりは大きいが頭部Ｐａ´の径より小さいＵ字状の開口部を有する引抜き部Ｔ１´（図６ではハッチングで断面状態を示している。）を備えており、図６（ｂ）に示すように、ピン首部Ｐｂ´にこの開口部を差し込んで、ピン頭部Ｐａ´を作用点としこの引抜き部の下部を支点Ｓ´として、「てこの原理」で釘を抜くようにして、ブリッジピンＰ´を引き抜いていた。
しかしながら、このような「てこの原理」を採用するブリッジピン引抜き具Ｔ´は、ブリッジＢ´や場合によっては表板Ｇｔ´などの弦楽器の表面にその支点Ｓ´をとることになるため、本質的に、力学的な支点Ｓ´に引抜き力が集中する。このため、従来のブリッジピン引抜き具Ｔ´は、弦楽器の表面に強い力で接触することは避けられず、引抜きの際に弦楽器を傷つける恐れがあった。
【０００５】
また、修理者などの専門家は場合によって専用の引抜き具を用いずに弦楽器のメンテナンスの際に用いられるペンチなどでブリッジピンＰ´の頭部Ｐａ´をつかみ回しながら引き抜くということも、できないものではなかった。
しかしながら、このような場合、ペンチ先端部の金属部分が誤って弦楽器に接触すると弦楽器に傷がつく恐れがあり、上述の専用のブリッジピン引抜き具Ｔ´よりも楽器を傷つけるリスクがさらに高くなる恐れがあった。特に、アコースティックギターなどの弦楽器は高価なものや装飾性の高いものも多く、その演奏者や所有者、メンテナンスを行う修理者は、ブリッジピンＰ´を抜く際に楽器に傷がつくような操作を避けたいと考える場合が多かった。
【０００６】
一方で、楽器に傷をつけないように、楽器に支点を取らないで簡易迅速にブリッジピンを引き抜くことは、てこの原理からの原理的な転換が必要となるため簡単ではなかった。このため、ブリッジピンを使用せずに弦の交換ができるブリッジ構造の提案がされた（特許文献２）。
しかしながら、伝統的な外観を変更するものであることなどから、依然としてブリッジピンを用いて弦を固定するものが多いのが現状である。
【０００７】
このような背景から、楽器に傷をつける恐れを低減しつつ、簡易迅速にブリッジピンを引き抜くブリッジピン引抜き具が望まれていた。
【先行技術文献】
【特許文献】
【０００８】
【特許文献１】登録実用新案第３１６６９７０号公報
【特許文献２】特開２００１−１４２４５５号公報
【発明の概要】
【発明が解決しようとする課題】
【０００９】
本発明は、このような従来事情に鑑みてなされたもので、その目的は、ブリッジピンを引抜く際に弦楽器に傷をつけないように、弦楽器に対してその引抜き力の集中をすることがなく、しかも、簡易迅速にブリッジピンを引抜くことができるブリッジピンの引抜き具を提供することである。
【課題を解決するための手段】
【００１０】
＜１＞
頭部とこれに続く頭部より細い首部とこの首部から延びる胴部とを有するブリッジピンを弦楽器のブリッジから引き抜くためのブリッジピン引抜き具であって、
可撓性を有する紐状部とこの紐状部の両端が固定される本体とを有し、
紐状部は、本体とともに第１のループを形成し、
第１のループは、その内周の長さが前記頭部の最大周囲長より長くなるように構成されたこと、を特徴とする。
これにより、ブリッジピンの首部に第１のループを巻き掛けることができ、引抜きの際に引抜き具がギターの表面に引抜き力を集中することなく、簡易な手段でブリッジピンを引き抜くブリッジピン引抜き具を提供することができる。
【００１１】
＜２＞  
また、前記第１のループがピンの頭部を潜って首部に巻き掛けられて２つの部分ループが形成された際にこの首部の周囲に形成される第２のループは、その内周の長さが前記首部の最小周囲長より長くかつ前記頭部の最大周囲長より短くなるように構成されたこと、が好ましい。
これにより、ブリッジピンの大きさによらず、確実に引抜きの際に引抜き具がギターの表面に引抜き力を集中することなく、簡易な手段でブリッジピンを引き抜くブリッジピン引抜き具を提供することができる。
【００１２】
＜３＞
紐状部は、合成樹脂製であることが好ましい。
これにより、紐状部が楽器に触れた場合でも、楽器を傷つけることが避けられる。
【００１３】
＜４＞
本発明は、ブリッジピンの頭部に第１のループを潜らせて、その首部に掛けるステップと、その本体を回転させて第１のループを捻じり、首部の周囲に第２のループを形成させるステップと、第２のループの内周の長さが頭部の最大周囲長より短くなるまで本体を回転させるステップと、本体を引いてブリッジピンを引き抜くステップと、を含むことを特徴とする。
これにより、確実にブリッジピンを引き抜くブリッジピン引抜き具の使用方法を提供することができる。
【００１４】
＜５＞
また、本体を回転させるステップは、本体を半回転させるステップであることが好ましい。
これにより、簡易迅速にブリッジピンを引き抜くブリッジピン引抜き具の使用方法を提供することができる。
【発明の効果】
【００１５】
本発明は、以上のように構成されているので、ギターの表面に引抜き力を集中させずに、簡単にブリッジピンを引き抜くことができる。したがって、ブリッジピンを抜く際に、ギターに傷をつけずに抜くことができる。
【発明を実施するための形態】
【００１６】
以下に、図面を参照して本発明を実施するための形態について説明する。
【００１７】
（ギター）
図５（ａ）に示すように、アコースティックギターＧは、ギターネックＧｎの上端部に取り付けられたナット（不図示）とボディＧｂに設けられたブリッジＢのサドルＢｓとの間に複数の弦ＧｓがサウンドホールＧｈを跨いで張られている。
【００１８】
このアコースティックギターＧでは、フレットＧｆを押さえて弦Ｇｓをピック等で弾いて発生した弦の振動は、薄くて弾力のある中空のボディＧｂに伝わり、弦Ｇｓとともにその中の空気が共鳴して、サウンドホールＧｈから美しい音が響くようになっている。なお、ピックの操作によりギターＧに傷がつかないように、ピックガードＧｐを備えている。
【００１９】
図５（ｂ）に示すように、このアコースティックギターＧに用いられるブリッジピンＰは、ブリッジＢに嵌合して弦ＧｓをブリッジＢに固定する。ブリッジＢは、表板Ｇｔに密着してギターＧに備えられ、ブリッジピンＰは、ブリッジＢ、ブリッジ表板Ｇｔおよびブリッジ裏板Ｂｂとを貫くブリッジピンの挿入穴Ｂｈに、サドルＢｓに支えられた弦Ｇｓの一端とともに嵌められて用いられる。
弦Ｇｓを固定するため、挿入穴ＢｈにエンドボールＢｅの付いた弦Ｇｓを挿通した後に、ブリッジピンＰを挿入穴Ｂｈに嵌合させて、エンドボールＢｅに連結された弦Ｇｓを保持する。ブリッジピンＰは、挿入穴Ｂｈから容易に抜けないように、その胴部Ｐｃは先細りのテーパ形状となるように形成されており、これが挿入穴Ｂｈに押し込まれて嵌合されている。
【００２０】
一方、弦Ｇｓの他端は、ギターヘッドのチューニングキー（不図示）によって巻き上げられ、これにより、弦ＧｓはブリッジＢのサドルＢｓとギターヘッドのナット（不図示）との間で一定の張力を与えられてチューニングされ、演奏に供される。
【００２１】
（ブリッジピン）
ブリッジピンＰは、図７に拡大して示すように、通常は、頭部Ｐａと頭部Ｐａに続き頭部Ｐａより細い首部Ｐｂと首部Ｐｂから延びる先細り状の胴部Ｐｃとを有するように形成されている。このテーパ状の胴部Ｐｃを挿入穴Ｂｈに嵌合させることにより、静止摩擦力で弦Ｇｓの張力に抗する。  図７に示すように、頭部Ｐａを首部Ｐｂより太くすることで、このブリッジピンＰを引抜きやすくしている。
【００２２】
また、ブリッジピンＰの首部Ｐｂから胴部Ｐｃに掛けて、弦Ｇｓが通る溝Ｐｇが切られている場合もある。弦Ｇｓはこの溝Ｐｇを通り、サウンドホールＧｈの内部のブリッジ裏板Ｂｂまで貫通し、その先にこの溝Ｐｇより大きく形成された前述のエンドボールＢｅが結び付けられている。この構造により、弦Ｇｓが抜けないようにストッパーとなる。
【００２３】
さらに、ブリッジピンＰの頭部Ｐａはギターの装飾においてアクセントとなるため、
ブリッジピンＰの固定および引抜きの取り扱いとギターの装飾性とを勘案して、半球状の頭部の場合もある。また、形状のみならず、配色も様々なものがある。
ブリッジピンＰは、木製であってもプラスチック製（合成樹脂製）であってもよい。
【００２４】
ブリッジピンＰはこのように弦Ｇｓのストッパーとして機能しているが、弦Ｇｓが切れたり消耗したりした場合は、弦Ｇｓの交換のためにブリッジピンＰを引き抜く必要がある。この際に本発明の引抜き具を用いる。
【００２５】
（第１の実施形態）
図１に、第１の実施形態であるブリッジピン引抜き具１を示す。
図１に示すように、第１の実施形態であるブリッジピン引抜き具１は、紐１０とこの紐の両端が固定される本体２０により構成される。このブリッジピン引抜き具１は、図２に示すように、紐１０がその両端を本体２０の接続穴２１に挿入されて閉ループである第１のループＬＰ１を形成するとともに、本体１０に挿入された紐１０に対し、ほぼ９０°に直交する別方向から開けられた固定穴２２からネジ２３などの固定部材で留めて、組み立てられる。
【００２６】
本体２０は、指先で握りやすいように、その中央部に貫通孔１５を有し、ほぼドーナッツ状の形状をしており、その一部が外側に滑らかに延びて凸状となった凸状部２０ａが備えられており、その凸状部２０ａの本体２０の外側に向いた箇所に紐状部１０と接続する接続部２０ｂが備えられている。接続部２０ｂは、本体２０の貫通孔１５の中心軸と平行な面で切り落とされてなる長円状の断面として構成されており、紐１０を差し込んで固定するための貫通しない井戸状の接続穴２１、２１が本体２０の貫通孔１５の中心軸を含む平面に対しほぼ対称な位置に２つ並んで設けられている。
【００２７】
本体２０の形状はドーナッツ状に限られるものではなく、手の平で握りやすいように札型の形状であっても差し支えない。また、材質も、アルミニウム製などの金属製であってもよく、木製またはプラスチック製であってもよい。
このようにして、本体２０は、人間の指又は手でブリッジピンＰを引抜くために把持することができる構成となっている。
【００２８】
本体２０の凸状部２０ａには、接続穴２１とともに、この接続穴２１に垂直に紐１０を固定するための固定穴２２、２２が本体２０のそれぞれの側面の対称の位置から、それぞれの接続穴２１、２１まで貫通して設けられている。固定穴２２，２２の内側は雌ネジが切られており、紐１０を接続穴２１、２１に通し、固定穴２２，２２の先まで挿入した後に、いわゆるイモネジ（セットスクリュー）２３，２３を固定穴２２，２２にねじ込むことにより、イモネジを固定部材２３，２３として紐状部１０を押圧し、脱着可能に固定している。
【００２９】
紐状部としての紐１０は、可撓性のものであれば、ナイロンなどの合成樹脂製でもよい。また、その芯に金属線があるものでもよい。太さは、引き抜くピンの大きさや首部の形状により、適宜決定すればよい。紐１０を捻じることにより、ブリッジピンＰの首部Ｐａに紐１０を引っかけてブリッジピンＰを引き抜くために、紐の長さは、後述のように、頭部Ｐａの最大径Ｄ１と首部の最小径Ｄ２の差の＋３０％以下であることが望ましく、さらに、同程度か、それ以下であることが望ましい。
【００３０】
紐１０は本体の接続穴２１、２１にその両端が挿入されて接続され固定されている。このため、紐１０は、本体２０とともに第１のループＬＰ１を形成する。この第１のループＬＰ１の内径は、ブリッジピンＰの頭部Ｐａをくぐらせることができるようにその長さが頭部Ｐａの最大周囲長Ｓ１より長くなるように構成する。ブリッジピンＰの頭部Ｐａをくぐらせることができれば、ブリッジピンＰの首部Ｐｂは頭部Ｐａより細いので、第１のループＬＰ１を首部Ｐｂに掛けることが可能である。
【００３１】
（第２の実施形態）
図８に、第２の実施形態であるブリッジピン引抜き具１００を示す。なお、第１の実施形態との相違点は、本体１２０の形状であり、相違点を中心に説明する。
図８に示すように、第２の実施形態であるブリッジピン引抜き具１００は、紐１１０とこの紐の両端が固定される本体１２０により構成される。このブリッジピン引抜き具１００は、紐１１０がその両端を本体１２０の２つの接続穴１２１、１２１に挿入されて閉ループである第１のループＬＰ１０１を形成するとともに、本体１１０に挿入された紐１１０を接着剤などを用いて固着させて、組み立てられる。
【００３２】
図８に示すように、本体１２０は、手の平で握りやすいように、平たい直方体の形状をしており、その一部が外側に滑らかに延びて凸状となった凸状部１２０ａが備えられており、その凸状部１２０ａの本体１２０の外側に向いた箇所に紐状部１１０と接続する接続部１２０ｂが備えられている。接続部１２０ｂは、本体１２０の直方体形状の軸方向断面と平行な面で切り落とされてなる断面の両隅部を緩やかな凹んだ曲面形状になるように構成されており、紐１１０を差し込んで固定するための貫通しない井戸状の接続穴１２１、１２１が本体１２０の中心軸を含む平面に対しほぼ対称な位置に２つ並んで設けられている。
【００３３】
本体１２０の材質も、アルミニウム製などの金属製であってもよく、木製またはプラスチック製であってもよい。
このようにして、本体１２０は、人間の指又は手でブリッジピンＰを引抜くために把持することができる構成となっている。
紐状部としての紐１１０も、第１の実施の形態と同様である。
【００３４】
（使用例）
図３、図４を用いて、第１の実施形態および第２の実施形態の引抜き具１、１０１を用いてブリッジピンＰを引き抜く引抜き動作を説明する。なお、第１の実施形態および第２の実施形態の引抜き動作は共通であるので、第１の実施形態の引抜き動作を説明し、第２の実施形態の引抜き動作を割愛する。
【００３５】
まず、引抜き具１を把持して、図４（ａ）に示すように、ブリッジピンＰの頭部Ｐａを第１のループＬＰ１に潜らせ（くぐらせ）、首部Ｐｂに掛ける。このとき、便宜的に、紙面上側の接続穴２１をｈ１、紙面下側の接続穴２１をｈ２とする。
次に、引抜き具１を、ｈ１の接続穴１２１が紙面手前になりｈ２の接続穴が紙面奥側になるように１８０°回転させる。
そうすると、図４（ｂ）に示すように、紙面上側の接続穴２１はｈ２となり、紙面下側の接続穴２１はｈ１となるとともに、紐１０は捻じられて紐１０の交点Ｃが形成され、首部Ｐｂに掛かっている第１のループＬＰ１は、ピンを内部に潜らせている第２のループＬＰ２と本体２０側のループとからなる小さい２つの部分ループに分かれる。すなわち、捻じることによって、第１のループＬＰ１は交点Ｃを境に小さい部分ループである第２のループＬＰ２を形成する。
【００３６】
このとき、図４（ｂ）に示すように、交点ＣがブリッジピンＰの頭部Ｐａの最大周囲長Ｓ１の箇所より平面視をして内側に入るようにするまで、本体２０を回転させる。そうすると、第２のループＬＰ２は首部Ｐｂに巻き付いてブリッジピンＰの頭部Ｐａの最大周囲長Ｓ１より小さくすることができるから、この状態で本体２０すなわち引抜き具１をブリッジピンが引抜かれるように引っ張っても紐部１０は頭部Ｐａをすり抜けることはできない。
したがって、この状態でブリッジピンＰを抜く方向に本体２０を引っ張ると、ブリッジピンＢは、挿入穴Ｂｈの嵌合が解かれて、引き抜かれる。
【００３７】
また、第２のループＬＰ２は、その内周の長さが前記首部Ｐｂの最小周囲長Ｓ２より長くかつ前記頭部Ｐａの最大周囲長Ｓ１より短くなるように構成すれば、本体２０が半回転した場合、すなわち、本体２０が１８０°捻じられた場合、交点Ｃが形成されその交点ＣがブリッジピンＰの頭部Ｐａの最大周囲長Ｓ１の箇所より内側に入るようにすることができる。そうすると、この状態で本体２０をブリッジピンＰを抜く方向に引っ張ると、紐１０は頭部Ｐａをすり抜けることはできず、ブリッジピンＰは、挿入穴Ｂｈの嵌合が解かれて、引き抜かれる。
【００３８】
整理すると、ブリッジピンの頭部Ｐａに第１のループＬＰ１を潜らせて、その首部Ｐｂに掛けるステップと、引抜き具１の本体２０を回転させて第１のループＬＰ１を捻じり、首部Ｐｂの周囲に第２のループＬＰ２を形成させるステップと、第２のループＬＰ２の内周の長さが頭部Ｐａの最大周囲長より短くなるまで本体２０を回転させるステップと、本体を引いて前記ブリッジピンを引き抜くステップと、を含むブリッジピン引抜き具１の使用方法が示された。
これは、引抜き具１００においても同様である。
【００３９】
〈試験例１〉
本例のブリッジピン引抜き具１、１０１を用いて市販のブリッジピンＰの引抜き試験を行った。ブリッジピンＰの仕様を表に示す。ここで、
Ｄ１は、ブリッジピンＰの頭部Ｐａの最大直径、
Ｄ２は、首部Ｐｂの最小直径、
Ｄ３は、紐の径、である。
【００４０】
【表１】
0006569104.tif 000002
【００４１】
このようなブリッジピンＰに対して、本例の引抜き具で引抜きを試みたところ、次のような結果になった。ここで、各変数は図３に示すような間隔を意味している。すなわち、
Ｄ２は、首部Ｐｂの最大周囲長、
Ｌ１は、ピンの中心軸から本体の挿入穴までの間隔、
Ｐｉ１は、挿入穴のそれぞれの中心軸同士の間隔、
捻じり回数は、本体を捻じった角度（１８０°で１回とした。）
θは、１８０°捻じった場合の紐１０がピンから離れる箇所の平行方向から離れる角度、
Ｌ２は、この時のピンの中心軸から交点Ｃまでの間隔、
ＷＬは、この時の紐の長さ、である。
【００４２】
【表２】
0006569104.tif 000003
【００４３】
以上のように、首部Ｐｂを巻きまわした時と同じ間隔に挿入穴同士の間隔を同じにした場合は、紐の長さを１４．４ｍｍから２７．９ｍｍとすると、１８０°回転（捻じり回数１回）させることにより、好適に紐を引き抜くことができた。
【００４４】
以上、本発明の実施の形態について説明したが、本発明は上記した実施の形態に限定されるものではない。
【産業上の利用可能性】
【００４５】
本発明のブリッジピン引抜き具は、ブリッジを備える弦楽器の分野に利用できる。
【図面の簡単な説明】
【００４６】
【図１】本発明のブリッジピン引抜き具の第１の実施形態の斜視図である。
【図２】第１の実施形態の組立図である。
【図３】紐をブリッジピンＰの首部Ｐｂに掛けて本体を１８０°回転させた際の各所の間隔を示す概念図である。
【図４】第１の実施形態の引抜き具の使用例を示す図である。
【図５】ギターとブリッジの説明図である。
【図６】従来例の引抜き具の使用例を示す図である。
【図７】ブリッジピンＰの説明図である。
【図８】本発明のブリッジピン引抜き具の第２の実施形態の斜視図である。
【符号の説明】
【００４７】
１、１００  ブリッジピン引抜き具
１０、１１０  紐状部（紐）
１５  貫通孔
２０、１２０  本体
２０ａ、１２０ａ  凸状部
２０ｂ、１２０ｂ  接続部
２１、１２１  接続穴
２２  固定穴
２３  固定部材（留めネジ）
ＬＰ１、ＬＰ１０１  第１のループ
ＬＰ２  第２のループ
Ｇ  ギター
Ｇｂ  ボディ
Ｇｆ  フレット
Ｇｈ  サウンドホール
Ｇｎ  ネック
Ｇｐ  ピックガード
Ｇｓ  弦
Ｇｔ  表板
Ｂ  ブリッジ
Ｂｂ  ブリッジ裏板
Ｂｅ  エンドボール
Ｂｈ  挿入穴
Ｂｓ  サドル
Ｐ  ブリッジピン
Ｐａ  頭部
Ｐｂ  首部
Ｐｃ  胴部
Ｐｇ  溝
Ｓ  支点
Ｔ´  従来の引抜き具
Ｃ  本体２０、１２０を捻じった際の紐状部１０、１１０の交点
Ｄ１  頭部Ｐａの最大直径
Ｄ２  首部Ｐｂの最小直径
Ｄ３  紐の直径
Ｌ１  ピンの中心軸から本体の挿入穴までの間隔
Ｌ２  この時のピンの中心軸から交点Ｃまでの間隔挿入穴のそれぞれの中心軸同士の間隔
Ｓ１  頭部Ｐａの最大周囲長
Ｓ２  首部Ｐｂの最小周囲長
θ  １８０°捻じった場合の紐１０がピンから離れる箇所の平行方向から離れる角度
Ｐｉ１  挿入穴のそれぞれの中心軸同士の間隔
【図１】
0006569104.tif 000004
【図２】
0006569104.tif 000005
【図３】
0006569104.tif 000006
【図４】
0006569104.tif 000007
【図５】
0006569104.tif 000008
【図６】
0006569104.tif 000009
【図７】
0006569104.tif 000010
【図８】
0006569104.tif 000011